(57)【特許請求の範囲】
【請求項１】
臭気が発生するものを取り扱う建物に、壁および屋根で囲まれたプラットホーム部が設けられ、該プラットホーム部における前壁に窪み部が設けられ、該窪み部の両側壁には出入口が設けられ、窪み部が設けられた箇所の屋根が一段下がって形成されたことを特徴とする臭気漏洩防止建物。
【請求項２】
窪み部の前壁に開閉可能な空気導入口を設けたことを特徴とする請求項１に記載の臭気漏洩防止建物。
【請求項３】
窪み部の前壁の屋外側または屋内側の少なくとも一方に庇を設けたことを特徴とする請求項１または２に記載の臭気漏洩防止建物。
【請求項４】
プラットホーム部の床面の奥行き寸法は間口寸法の３／４以上であることを特徴とする請求項１〜３のいずれかに記載の臭気漏洩防止建物。
【発明の詳細な説明】
【０００１】
【発明の属する技術分野】
本発明は臭気漏洩防止建物に関するものである。
【０００２】
【従来の技術】
臭気が発生するものを取り扱う建物、例えばごみ焼却施設は、一般に図１７に示すようなプラットホーム部２６、ごみピット部２７、焼却炉部２８、プラント設備部（燃焼ガス冷却設備、排ガス処理設備、通風設備を含む）２９から構成されている。このごみ焼却施設２５におけるごみピット部２７内から発生する臭気３０は、ごみピット部２７における上部の排気ファンで吸い込まれ、室圧制御によりプラットホーム部２６には漏れないものと考えられている。
【０００３】
【発明が解決しようとする課題】
しかし、図１８に示すように、上記のごみ焼却施設による解析結果から、ごみの投入扉３１を開放した状態では、ごみピット部２７からプラットホーム部２６への臭気漏れが生じることが明らかになり、ごみ収集運搬車の出入口３２が臭気３０の漏洩箇所になることも明らかになった。また、風があるときには、図１９に示すように、ごみ収集運搬車の出入口３２に対して４５゜前方から入ってくる風３３による臭気漏れが多いことが明らかになった。これはプラットホーム部２６内の臭気３０が、一方の出入口３２ａから入った風３３で他方の出入口３２ｂから外部に吹き出されるためである。
【０００４】
本発明は上記のような問題に鑑みてなされたものであり、その目的は、風による臭気漏れが発生しない臭気漏洩防止建物を提供することである。
【０００５】
【課題を解決するための手段】
以上の課題を解決するための臭気漏洩防止建物は、臭気が発生するものを取り扱う建物に、壁および屋根で囲まれたプラットホーム部が設けられ、該プラットホーム部における前壁に窪み部が設けられ、該窪み部の両側壁には出入口が設けられ、窪み部が設けられた箇所の屋根が一段下がって形成されたことを特徴とし、前記窪み部の前壁に開閉可能な空気導入口を設けられ、窪み部の前壁の屋外側または屋内側の少なくとも一方に庇が設けられ、プラットホーム部の床面の奥行き寸法は間口寸法の３／４以上であることを含む。
【０００６】
出入口を窪み部の両側壁に設けたことにより、一方の出入口からプラットホーム部に入った風によって、他方の出入口から外部へ吹き出された臭気が、前記の風によって再び一方の出入口からプラットホーム部内へ吹き戻されるので、臭気漏れを最小限に抑えることができる。また窪み部が設けられた箇所の屋根を一段下げたことにより、プラットホーム部へ入り込む風向を限定することができる。また窪み部の前壁に設けた空気導入口を風のない時に開けると、プラットホーム部内の空気をより整流に近づけることができる。また窪み部における外庇により、プラットホーム部へ入り込む風向を限定することができるので、臭気漏れの原因である乱流の発生を抑えることができる。また空気導入口よりプラットホーム部内に入った風が内庇によってまっすぐに流れるので、乱流の発生が抑えられる。またプラットホーム部の床面の奥行き寸法を間口寸法の３／４以上にしたことにより、臭気漏れが最小限に抑えられる大きさのプラットホーム部を形成することができる。
【０００７】
【発明の実施の形態】
以下、本発明の臭気漏洩防止建物の実施の形態を図面に基づいて詳細に説明する。この臭気漏洩防止建物の実施の形態はごみ焼却施設を対象とし、各実施の形態において同じ構成は同じ符号を付して説明し、異なった構成にのみ異なった符号を付して説明する。
【０００８】
図１〜４は第１の実施の形態のごみ焼却施設１を示したものである。このごみ焼却施設１は、プラットホーム部２と、ごみピット部３と、焼却炉部４と、プラント設備部（燃焼ガス冷却設備、排ガス処理設備、通風設備を含む）５とから構成されている。
【０００９】
前記プラットホーム部２はごみ収集運搬車６によって投入扉７からごみピット部３へのごみの投入が行われるところであり、ごみピット部３に接して壁８および屋根９で覆われている。このプラットホーム部２における前壁１０には窪み部１１が設けられ、該窪み部１１の両側壁にごみ収集運搬車用の出入口１２が設けられている。またこの窪み部１１が設けられた箇所の屋根１５が一段下がった状態、すなわち階段状に形成され、そこに外庇１６および内庇１７が設けられている。このように、ごみ収集運搬車用の出入口１２を必要最小限にし、しかも前壁１０と直角になるように窪み部１１の両側壁に設けたことにより、プラットホーム部２に風を入り込みにくくして、臭気漏れの原因となる乱流の発生を抑える。
【００１０】
また窪み部１１の前壁１３には、開閉可能な空気導入口１４が設けられている。この空気導入口１４を風のないときに開くと、プラットホーム部２の空気が整流により近づくため、臭気漏れを抑えることができる。また風１９が正面、すなわち空気導入口１４の前方から吹いているときに空気導入口１４を開くと、プラットホーム部２に入った風１９が内庇１７によってまっすぐに流れて乱流の発生を抑える。このように風１９の状態に応じて空気導入口１４を開閉すると、臭気漏れが最小限に抑えられるようになる。
【００１１】
またプラットホーム部２の床面積を大きくすれば、当然に臭気漏れが少なくなるが、奥行き寸法が間口寸法の３／４以上のときが最も効果的になる。なお、プラットホーム部には外庇１６および内庇１７が設けられているが、外庇１６または内庇１７のみを設けることもできる。
【００１２】
このようにごみ収集運搬車用の出入口１２を窪み部１１の両側壁に設けたことにより、風１９がプラットホーム部２へ入ったとしてもどちらか一方の出入口のみから入ることになる。このように一方の出入口１２ａからプラットホーム部２に風１９が入った場合には、図３に示すように、他方の出入口１２ｂから臭気２０が漏れるが、この漏れた臭気２０は前記の風１９によって再び一方の出入口１２ａからプラットホーム部２へ戻されるため、最小限の臭気漏れにとどまる。
【００１３】
図４は上記のプラットホーム部２における、ごみ収集運搬車６の動線計画を示したものであり、ごみを満載したごみ収集運搬車６ａが他方の出入口（図において下側）１２ｂから入ってごみの投入を行い、ごみの投入を行って空になったごみ収集運搬車６ｂが一方の出入口（図において上側）１２ａから出ることにより（窪み部においては出場車優先）円滑なごみ投入作業ができるようになっている。
【００１４】
また図５は第２の実施の形態のごみ焼却施設２１を示したものである。このごみ焼却施設２１はプラットホーム部２の奥行きを大きくしたものであり、これ以外は第１の実施の形態のごみ焼却施設１と同じ構成である。このようにプラットホーム部２の奥行きを大きくすると、風１９の影響を受けにくく、乱流の発生も抑えることができる。
【００１５】
また図６は第３の実施の形態のごみ焼却施設２２を示したものである。このごみ焼却施設２２は、窪み部１１の前壁１３に空気導入口１４がないものであり、これ以外は第１の実施の形態のごみ焼却施設１と同じ構成である。このように空気導入口１４がなくても、前記と同じように風の影響を少なくして、乱流の発生を抑えることができるようになる。
【００１６】
また図７は第４の実施の形態のごみ焼却施設２３を示したものである。このごみ焼却施設２３は、第３の実施の形態のごみ焼却施設２２におけるプラットホーム部２の奥行きを大きくしたものであり、これ以外は第３の実施の形態のごみ焼却施設２２と同じ構成である。このようにプラットホーム部２の奥行きを大きくすると前記と同じ効果を奏することができる。
【００１７】
なお、前記の第１〜４の実施の形態においてはプラットホーム部２に階段状の屋根１５があるが、これがないプラットホーム部２にすることもできる（図示せず）。
【００１８】
また図８〜１５は、上記の第１〜４の実施の形態のごみ焼却施設１、２１、２２、２３を解析モデルとして気流解析を行った結果を示したものである。この気流解析における解析領域は、プラットホーム部の床面１８を地盤面と同一とし、建物の周壁・屋根から約５０ｍの外部空間を対象とした。
【００１９】
また解析モデルは、焼却能力１５０ｔ／日×３基、および７つの投入扉７を持つごみ焼却施設１、２１、２２、２３を対象とした。また解析の設定条件として、臭気ガスはごみピット部３の底部で発生するものとし、ごみピット部３の上部では１時間につき、ごみピット部３とごみホッパ上部の容積の合計に対して約５倍の風量を吸い込むものとした。また発生ガスの拡散係数には、分子量が小さく比較的拡散係数の大きいアンモニアの値を用いた。また、混雑時を想定して投入扉７は全て開放しているものとした。
【００２０】
このような解析モデル１、２１、２２、２３を対象にして、無風時と、５ｍ／ｓｅｃの風が８方向から吹いた場合との気流解析を行い、そのうちの特徴的なものを図８〜１５に示した。
【００２１】
図８〜１０は第１の実施の形態のごみ焼却施設１の気流解析の結果を示したものである。図８の（１）は風１９がない状態で、かつ空気導入口１４を開放してプラットホーム部２の空気を整流に近い状態を示したものである。この場合は、臭気２０が投入扉７からプラットホーム部２にわずかに漏れているが、ごみピット部３内にとどまっていて外部には漏れていない。また同図の（２）は、空気導入口１４の正面（プラットホーム部側）から風１９が吹いたときの状態で、かつ空気導入口１４を開放して風１９がプラットホーム部２内をまっすぐに流れている状態を示したものであり、臭気２０は上記の（１）とほぼ同じ状態になっている。
【００２２】
また図９は出入口１２に対して４５゜前方から風１９が吹いたときの状態で、かつ空気導入口１４を開いた状態を示している。この場合は、前記の風１９によってプラットホーム部２に乱流が発生しているため、該プラットホーム部２に臭気２０が充満するとともに出入口１２から外部へわずかに漏れている。このことにより風の影響による乱流の発生によって、外部への臭気漏れが発生することが確認できた。
【００２３】
また図１０はごみ焼却施設１の真横から風１９が吹いたときの状態で、かつ空気導入口１４を開いた状態を示したものである。この場合もプラットホーム部２に臭気２０は充満しているが、外部にはほとんど漏れていない。
【００２４】
このような結果から、出入口１２に対して４５゜前方から風１９が吹くと臭気漏れが発生することが明らかになった。しかし、この臭気漏れはわずかであることも明らかになった。
【００２５】
図１１は第２の実施の形態のごみ焼却施設２１を解析モデルとした気流解析の結果を示したものである。この結果、出入口１２に対して４５゜前方から風１９が吹いたときにのみ臭気漏れが発生しており、その量は前記に比べてほんのわずかであり、プラットホーム部２の奥行きを大きくすると、臭気漏れを最小限に抑えることができるという効果を確認することができた。
【００２６】
図１２〜１４は第３の実施の形態のごみ焼却施設２２を解析モデルとした気流解析の結果を示したものであり、出入口１２に対して４５゜前方から風１９が吹いたときの臭気漏れの量が多い他は、第１の実施の形態のごみ焼却施設１とほぼ同じである。
【００２７】
図１５は第４の実施の形態のごみ焼却施設２３を解析モデルとした気流解析の結果を示したものである。この結果、出入口１２に対して４５゜前方から風１９が吹いたときにのみ臭気漏れが発生している。よって、このごみ焼却施設２３はプラットホーム部２の奥行きを大きくしても、ごみ焼却施設２１のような効果を得ることができないことが明らかになった。
【００２８】
以上のような気流解析の結果から、出入口１２を窪み部１１の両側壁に設けたことにより、外部に漏れた臭気が内部に吹き戻され、かつその部分を階段状の屋根１５にしたことにより、プラットホーム部２の乱流域を最小限にすることができたので、臭気漏れを最小限に抑えることができるという効果を確認することができた。すなわち出入口１２に対して４５゜前方から風１９が吹いたときにのみ臭気漏れが発生するが、その量は図１７に示す従来のごみ焼却施設２５に比べて非常に少ないものである。特に、第２の実施の形態のごみ焼却施設２１が臭気漏れを最小限に抑えることができることを確認することができた。
【００２９】
また図１６は上記の第１〜４の実施の形態のごみ焼却施設１、２１、２２、２３と、図１７の従来のごみ焼却施設２５における臭気の濃度（単位はｐｐｍ）の測定点を示したものであり、下記の表１および２に示すように、第１〜４の実施の形態のごみ焼却施設１、２１、２２、２３は、従来のごみ焼却施設２５に対して約１〜４％の濃度まで低減していることを確認することができた。
【００３０】
【表１】
0003859478.tif 000002
【００３１】
【表２】
0003859478.tif 000003
【００３２】
なお、上記の実施の形態においては臭気漏洩防止建物としてごみ焼却施設１を対象にしたが、本発明はこれに限られるものではなく、例えば工場の荷捌き室などにも適用することができる。
【００３３】
【発明の効果】
出入口を窪み部の両側壁に設けたことにより、一方の出入口からプラットホーム部に入った風によって、他方の出入口から外部へ吹き出された臭気が、前記の風によって再び一方の出入口からプラットホーム部内へ吹き戻されるので、臭気漏れを最小限に抑えることができる。
【００３４】
窪み部が設けられた箇所の屋根を一段下げたことにより、プラットホーム部へ入り込む風向を限定することができる。
【００３５】
窪み部の前壁に設けた空気導入口を風のない時に開けると、プラットホーム部内の空気をより整流に近づけることができる。
【００３６】
窪み部における外庇により、プラットホーム部に風が入り込みにくくなるので、臭気漏れの原因である乱流の発生を抑えることができる。
【００３７】
空気導入口よりプラットホーム部内に入った風が内庇によってまっすぐに流れるので、乱流の発生が抑えられる。
【００３８】
プラットホーム部の床面の奥行き寸法を間口寸法の３／４以上にしたことにより、臭気漏れを最小限に抑えられる大きさのプラットホーム部を形成することができる。
【図面の簡単な説明】
【図１】   （１）は第１の実施の形態のごみ焼却施設の縦断面図、（２）は同横断面図である。
【図２】   （１）は第１の実施の形態のごみ焼却施設の概念図、（２）は同正面図である。
【図３】   プラットホーム部の拡大断面図である。
【図４】   第１の実施の形態のごみ焼却施設におけるごみ収集運搬車の動線計画図である。
【図５】   （１）は第２の実施の形態のごみ焼却施設の縦断面図、（２）は同横断面図である。
【図６】   （１）は第３の実施の形態のごみ焼却施設の縦断面図、（２）は同横断面図である。
【図７】   （１）は第４の実施の形態のごみ焼却施設の縦断面図、（２）は同横断面図である。
【図８】   第１の実施の形態のごみ焼却施設を解析モデルとした気流解析の結果を示したものであり、（１）は風がないときの図、（２）は空気導入口の正面から風が吹いているときの図である。
【図９】   第１の実施の形態のごみ焼却施設を解析モデルとした気流解析の結果を示したものであり、（１）および（２）は出入口に対して４５゜前方から風が吹いているときの図である。
【図１０】   第１の実施の形態のごみ焼却施設を解析モデルとした気流解析の結果を示したものであり、（１）および（２）はごみ焼却施設の真横から風が吹いているときの図である。
【図１１】   第２の実施の形態のごみ焼却施設を解析モデルとした気流解析の結果を示したものであり、（１）は風が吹いていないときの図、（２）は出入口に対して４５゜前方から風が吹いているときの図である。
【図１２】   第３の実施の形態のごみ焼却施設を解析モデルとした気流解析の結果を示したものであり、（１）は風がないときの図、（２）はごみ焼却施設の正面から風が吹いているときの図である。
【図１３】   第３の実施の形態のごみ焼却施設を解析モデルとした気流解析の結果を示したものであり、（１）および（２）は出入口に対して４５゜前方から風が吹いているときの図である。
【図１４】   第３の実施の形態のごみ焼却施設を解析モデルとした気流解析の結果を示したものであり、（１）および（２）はごみ焼却施設の真横から風が吹いている図である。
【図１５】   第４の実施の形態のごみ焼却施設を解析モデルとした気流解析の結果を示したものであり、（１）は風がないときの図、（２）は出入口に対して４５゜前方から風が吹いているときの図である。
【図１６】   第１〜４の実施の形態のごみ焼却施設と、従来のごみ焼却施設における臭気の濃度の測定点を示した概念図である。
【図１７】従来のごみ焼却施設のであり、（１）は縦断面図、（２）は同横断面図、（３）は同概念図である。
【図１８】   従来のごみ焼却施設を解析モデルとした気流解析の結果を示したものであり、（１）は風がないときの図、（２）および（３）は出入口に対して４５゜前方から風が吹いているときの図、（４）および（５）はごみ焼却施設の真横から風が吹いているときの図である。
【図１９】   従来のプラットホーム部の拡大断面図である。
【符号の説明】
１、２１、２２、２３、２５  ごみ焼却部
２、２６  プラットホーム部
３、２７  ごみピット部
４、２８  焼却炉部
５、２９  プラント設備部
６  ごみ収集運搬車
７、３１  投入扉
８  壁
９  屋根
１０  前壁
１１  窪み部
１２、３２  出入口
１３  窪み部の前壁
１４  空気導入口
１５  階段状の屋根
１６  外庇
１７  内庇
１８  床面
１９、３３  風
２０、３０  臭気
【図１】
0003859478.tif 000004
【図２】
0003859478.tif 000005
【図３】
0003859478.tif 000006
【図４】
0003859478.tif 000007
【図５】
0003859478.tif 000008
【図６】
0003859478.tif 000009
【図７】
0003859478.tif 000010
【図８】
0003859478.tif 000011
【図９】
0003859478.tif 000012
【図１０】
0003859478.tif 000013
【図１１】
0003859478.tif 000014
【図１２】
0003859478.tif 000015
【図１３】
0003859478.tif 000016
【図１４】
0003859478.tif 000017
【図１５】
0003859478.tif 000018
【図１６】
0003859478.tif 000019
【図１７】
0003859478.tif 000020
【図１８】
0003859478.tif 000021
【図１９】
0003859478.tif 000022